(57)【要約】 【課題】  操作性の良好な地図表示装置を提供する。【解決手段】  入力手段として、予め定める複数の方向への傾動（矢符２２ａ〜２２ｈ）と、軸線２０まわりの回転（矢符２１ａ，２１ｂ）と、軸線２０方向への押圧（矢符２３）との３動作が可能なジョイスティック２を備える。このジョイスティック２の操作に地図のスクロール表示の指示を割り当てるとともに、回転操作を縮尺の変更に割り当てることができ、先行技術に比較して、リモコンや操作パネル部のスイッチの数を減少することができる。【選択図】      図２
2005292846.tif 000002
【特許請求の範囲】
【請求項１】
表示手段に地図を表示可能な地図表示装置において、
前記地図のスクロール表示を指示する第１の入力と、
回転操作の回転方向に応じて、前記地図の縮尺を大きく、または小さくするように指示する第２の入力とが可能な入力手段を備えることを特徴とする地図表示装置。
【請求項２】
表示手段に地図を表示可能な地図表示装置において、
前記地図のスクロール表示を指示する入力手段を備え、
前記入力手段の回転操作を検出する回転検出部を有し、
前記回転検出部によって前記入力手段の回転操作が検出された場合、回転操作の回転方向に応じて、前記地図の縮尺を大きく、または小さくする制御手段を備えることを特徴とする地図表示装置。
【請求項３】
前記入力手段の時計方向への回転操作に応じて、前記地図の縮尺を大きくし、前記入力手段の反時計方向への回転操作に応じて、前記地図の縮尺を小さくすることを特徴とする請求項１または２記載の地図表示装置。
【請求項４】
前記回転操作の回転量に応じて、前記地図の縮尺の大きさを決定することを特徴とする請求項１または２記載の地図表示装置。
【請求項５】
前記回転検出部は、前記入力手段が押圧された状態のまま回転状態が維持された場合に回転操作と検出することを特徴とする請求項２記載の地図表示装置。
【請求項６】
前記第１の入力中は、所定の方向へのスクロールを続けることを特徴とする請求項１記載の地図表示装置。
【発明の詳細な説明】
【技術分野】
【０００１】
本発明は、車両に搭載されるナビゲーション装置などの地図表示装置に関する。
【背景技術】
【０００２】
車両の現在位置とその周辺の道路地図とを表示する以外に、目的地の設定、地図の縮尺、ルートの算出などと言った複数のナビゲーション機能を有する先行技術の車載用ナビゲーション装置が知られている（たとえば、特許文献１および特許文献２参照。）。これらの先行技術のナビゲーション装置は、操作デバイスとしてジョイスティックを備え、このジョイスティックは、複数方向への傾動動作と軸線方向への押圧動作とが可能である。
【０００３】
この２動作しかできないジョイスティックを有する多機能ナビゲーション装置では、ジョイスティックに多くの操作を割り当てることができないため、表示手段に各機能のアイコンを多数表示するか、操作パネル部に多数のスイッチを必要とする。このような構成のナビゲーション装置では、ユーザが各機能を実行する毎に、アイコンやスイッチの位置を確認する必要があるため不便であった。また、操作パネルやリモコンの部品点数が多くなってしまう。
【０００４】
【特許文献１】特開平１０−１２２８７６号公報
【特許文献２】特開平１０−１９７２６３号公報
【発明の開示】
【発明が解決しようとする課題】
【０００５】
ナビゲーション装置では、基本的な機能として地図表示が行われる。地図表示では、表示範囲を移動させるスクロール操作とともに、表示する地図の縮尺を大きくしたり小さくしたりする指示の操作も必要となる。
したがって本発明の目的は、操作性の良い地図表示装置を提供することである。
【課題を解決するための手段】
【０００６】
本発明は、表示手段に地図を表示可能な地図表示装置において、
前記地図のスクロール表示を指示する第１の入力と、
回転操作の回転方向に応じて、前記地図の縮尺を大きく、または小さくするように指示する第２の入力とが可能な入力手段を備えることを特徴とする地図表示装置である。
【０００７】
本発明に従えば、表示手段に地図を表示可能な地図表示装置は入力手段を備える。入力手段は、地図のスクロール表示を指示する第１の入力と、回転操作の回転方向に応じて、地図の縮尺を大きく、または小さくするように指示する第２の入力とが可能である。地図表示装置のユーザは、入力手段への第１の入力で地図のスクロール表示を指示することができるばかりではなく、第２の入力である回転操作では、回転操作の回転方向に応じて、縮尺を大きくするか小さくするかを指示することができる。入力手段は、地図の縮尺を変化させる入力も可能であるので、地図の縮尺変更時に、スクロール表示を指示する入力手段以外の他の入力手段、たとえば入力モードを切換えるスイッチなどを触れる必要がなく、また探す必要もない。ユーザが操作時に入力手段の位置を確認する頻度が少なくなり、地図表示装置の操作性を良くすることができる。
【０００８】
さらに本発明は、表示手段に地図を表示可能な地図表示装置において、
前記地図のスクロール表示を指示する入力手段を備え、
前記入力手段の回転操作を検出する回転検出部を有し、
前記回転検出部によって前記入力手段の回転操作が検出された場合、回転操作の回転方向に応じて、前記地図の縮尺を大きく、または小さくする制御手段を備えることを特徴とする地図表示装置である。
【０００９】
本発明に従えば、表示手段に地図を表示可能な地図表示装置は、地図のスクロール表示を指示する入力手段および制御手段を備え、入力手段の回転操作を検出する回転検出部を有する。制御手段は、回転検出部によって入力手段の回転操作が検出された場合、回転操作の回転方向に応じて、地図の縮尺を大きく、または小さくする。スクロール表示を指示する入力手段には、地図の縮尺を変化させる回転操作も可能であるので、地図の縮尺変更時に、スクロール表示を指示する入力手段以外の他の入力手段、たとえば入力モードを切換えるスイッチなどを触れる必要がなく、また探す必要もない。入力手段でスクロール表示を指示するばかりではなく、回転操作の回転方向に応じて、縮尺を大きくまたは小さくすることが可能となるので、地図表示装置の操作性を良くすることができる。
【００１０】
また本発明は、前記入力手段の時計方向への回転操作に応じて、前記地図の縮尺を大きくし、前記入力手段の反時計方向への回転操作に応じて、前記地図の縮尺を小さくすることを特徴とする。
【００１１】
本発明に従えば、入力手段への時計方向への回転操作で地図の縮尺を大きくし、反時計方向への回転操作で地図の縮尺を小さくすることができる。
【００１２】
また本発明は、前記回転操作の回転量に応じて、前記地図の縮尺の大きさを決定することを特徴とする。
【００１３】
本発明に従えば、地図の縮尺の大きさを、入力手段への回転操作の回転量に応じて決定することができる。
【００１４】
また本発明で、前記回転検出部は、前記入力手段が押圧された状態のまま回転状態が維持された場合に回転操作と検出することを特徴とする。
【００１５】
本発明に従えば、地図表示装置のユーザが入力手段を押圧しながら回転操作するときに、地図の縮尺を変更する回転操作として検出することになるので、単に回転操作するだけでは、縮尺を変更しないようにすることができる。また、回転操作のみの場合の指示を、たとえば地図の回転に割当てることもできる。
【００１６】
また本発明で、前記第１の入力中は、所定の方向へのスクロールを続けることを特徴とする。
【００１７】
本発明に従えば、入力手段への第１の入力を続ければ、所定の方向へのスクロールが続けられるので、スクロールの表示の指示に対する操作性を良くすることができる。
【発明の効果】
【００１８】
本発明によれば、地図表示装置のユーザは、ジョイスティックなどの入力手段への第１の入力で地図のスクロール表示を指示することができるばかりではなく、回転操作で地図の縮尺を変化させる第２の入力も可能であるので、地図の縮尺変更時に、スクロール表示を指示する入力手段以外の他の入力手段、たとえばスイッチなどを触れる必要がなく、また探す必要もない。ユーザが操作時に入力手段の位置を確認する頻度が少なくなり、地図表示装置の操作性を良くすることができる。
【００１９】
さらに本発明によれば、地図のスクロール表示を指示するジョイスティックなどの入力手段には、地図の縮尺を変化させる回転操作も可能であるので、地図の縮尺変更時に、スクロール表示を指示する入力手段以外の他の入力手段、たとえばスイッチなどを触れる必要がなく、また探す必要もない。入力手段でスクロール表示を指示するばかりではなく、回転操作の回転方向に応じて、縮尺を大きくまたは小さくすることが可能となるので、地図表示装置の操作性を良くすることができる。
【００２０】
また本発明によれば、入力手段への時計方向への回転操作で地図の縮尺を大きくし、反時計方向への回転操作で地図の縮尺を小さくすることができる。
【００２１】
また本発明によれば、地図の縮尺の大きさを、入力手段への回転操作の回転量に応じて決定することができる。
【００２２】
また本発明によれば、地図表示装置のユーザが入力手段を押圧しながら回転操作するときに、地図の縮尺を変更する回転操作として検出することになるので、回転操作のみの場合の指示を、たとえば地図の回転に割当てることもできる。
【００２３】
また本発明によれば、入力手段への第１の入力を続けて、所定の方向へのスクロールを継続することができる。
【発明を実施するための最良の形態】
【００２４】
図１は、本発明の実施の一形態である地図表示装置としてのナビゲーション装置１のブロック図であり、図２は入力手段の一例としてのジョイスティック２の斜視図であり、図３はジョイスティック２の平面図である。車両に搭載されるナビゲーション装置１は、ナビゲーション装置本体５とディスプレイ３（表示手段）とを含んで構成される。
【００２５】
ナビゲーション装置本体５は、ＣＤ−ＲＯＭ（compact disk - read only memory）ドライブ８、地図描画部９、操作検知部１０、操作パネル部４、ビデオＲＡＭ１４、映像変換部１５およびリモコン受光部１６を備える。ＣＤ−ＲＯＭドライブ８に地図専用ディスク６が装填されて地図専用ディスク６の地図データが読み出される。また上記ＣＤ−ＲＯＭドライブ８は、ＤＶＤ−ＲＯＭ（digital versatile disk - read only memory）ドライブであっても良い。またリモコン受光部１６によって、ユーザが操作したリモコン７からの命令信号が受信される。また、操作パネル部４には、複数個のスイッチ（図示せず）とジョイスティック２とが設けられている。また、リモコン７にもジョイスティック２が設けられている。
【００２６】
図２および図３に示すように、ジョイスティック２はナビゲーション装置１の操作パネル部４の表面、またはリモコン７の表面から前方に突出する軸部１８と、この軸部１８の一端部に固定されるつまみ部１９とを有する。このジョイスティック２は、軸部１８の軸線２０まわりの回転動作（矢付２１ａ，２１ｂ方向）と、軸部１８の他端側の接続部を中心とする予め定める複数方向への傾動動作（本実施形態では、矢付２２ａ〜２２ｈに示す８方向）と、軸線２０方向他方側（矢付２３方向であり、図３の紙面奥側）への押圧動作との３動作が可能である。
【００２７】
ユーザによる操作パネル部４またはリモコン７の操作は、操作検知部１０によって検出される。特にジョイスティック２の操作は、操作検知部１０の回転検出部１１、傾動検出部１２および押圧検出部１３によって検出される。
【００２８】
回転検出部１１は、たとえば回転角度を多段的に検出するロータリーエンコーダ２４によって実現され、これによってジョイスティック２の軸線２０まわりの回転方向および回転角度が検出される。
【００２９】
傾動検出部１２は、たとえばジョイスティック２の傾動方向（矢付２２ａ〜２２ｈ）に、軸線２０から同一半径距離に配置された複数（本実施形態では８個）のリミットスイッチ２５ａ〜２５ｈによって実現され、各リミットスイッチ２５ａ〜２５ｈが押圧されることによってジョイスティック２の傾動方向が検出される。
【００３０】
押圧検出部１３は、たとえばバネ復帰式リミットスイッチ２６によって実現され、これによってジョイスティック２の軸線２０方向他方側（図２の右方）への押圧動作が検出される。
【００３１】
このように、本実施形態のナビゲーション装置１は、回転動作と傾動動作と押圧動作との３動作可能なジョイスティック２を備えているので、先行技術の２動作しかできないジョイスティックを有するナビゲーション装置に比較して、さらに多くのナビゲーション機能の操作を、ジョイスティック２に割り当てることが可能になる。したがって、操作パネル部４のスイッチの数を先行技術に比較して、減少させることができる。さらに、ユーザがナビゲーション機能の実行時に、スイッチの位置を確認する頻度が少なくなり、煩雑さが解消する。
【００３２】
再び図１を参照して、地図描画部９にＣＤ−ＲＯＭドライブ８によって読み出された基本地図データと、操作検知部１０によって検出されたユーザによるジョイスティック２の操作量データとが入力される。地図描画部９は、入力された各データに基づいて、ユーザの希望する縮尺や回転位置に調整した調整済み地図データを作成し、この作成した調整済み地図データをビデオＲＡＭ１４に出力する。
【００３３】
ビデオＲＡＭ１４は、いわゆるバッファメモリであり、入力された調整済み地図データを一時的に記憶する。映像変換部１５は、ビデオＲＡＭ１４に記憶された調整済みデータを読み出して、これを画像データに変換してディスプレイ３に出力する。ディスプレイ３は、入力された画像データに基づいて、ユーザの希望する縮尺および回転位置に調整した地図を表示する。
【００３４】
図４は、ディスプレイ３の表示画面３１に道路地図２８が表示された状態を示す図である。本実施形態のナビゲーション装置１は、表示画面３１に道路地図２８を表示することができ、この表示された道路地図２８は、表示画面３１に垂直な軸線まわりに回転して表示が可能であり、この道路地図２８の回転動作はジョイスティック２の操作によって行うことができる。
【００３５】
表示画面３１に道路地図２８が表示された状態において、ジョイスティック２を軸線２０まわりに回転させることによって、表示画面３１に表示された道路地図２８を回転させることができる。このとき、ユーザから見たジョイスティック２の回転方向と道路地図２８の回転方向とは、一致している。つまり、ユーザがジョイスティック２を、軸線２０まわりに時計方向（矢符２１ｂ）に回転させることによって、表示画面３１の道路地図２８は、ユーザから見て時計方向に回転する。また、ユーザがジョイスティック２を、軸線２０まわりに反時計方向（矢符２１ａ）に回転させることによって、ディスプレイ３の道路地図２８は、ユーザから見て反時計方向に回転する。このような構成することによって、ジョイスティック２の操作と、表示画面３１の道路地図２８の回転方向との対応関係が明瞭になるので、先行技術のような違和感がなくなる。
【００３６】
また、表示画面３１の道路地図２８の回転量は、ジョイスティック２の回転量に対応している。前述したように、ジョイスティック２の回転量は回転検出部１２によって検出される。たとえば、ロータリーエンコーダのパルス数を計測することによって算出される。このジョイスティック２の回転量に応じて、表示画面３１の道路地図２８の回転量が決定される。さらに詳しく述べると、回転検出部１２によって検出された回転量に地図描画の単位ドットを掛け合わせた量が、表示画面３１の道路地図２８の回転量となり、道路地図２８はこの回転量だけ回転する。たとえば図４に示す状態で、ジョイスティック２を、軸線２０まわりに反時計方向（矢符２１ａ）に９０°回転させると、図５に示す反時計方向に９０°回転した道路地図２８ａが表示画面３１に表示される。
【００３７】
また本実施形態のナビゲーション装置１では、表示画面３１に表示された道路地図２８の縮尺を変更することができ、この道路地図２８の縮尺の変更を、ジョイスティック２の操作によって行うことができる。
【００３８】
表示画面３１に道路地図２８が表示された状態において、ジョイスティック２を矢符２３方向に押圧しながら、軸線２０まわりに回転させることよって、表示画面３１に表示された道路地図２８の縮尺を変更できる。このとき、ユーザがジョイスティック２を押圧しながら、軸線２０まわりに時計方向（矢符２１ｂ）に回転させることによって、表示画面３１の道路地図２８は、表示されている状態よりも拡大して表示される。また、ユーザがジョイスティック２を押圧しながら、軸線２０まわりに反時計方向（矢符２１ａ）に回転させることによって、表示画面３１の道路地図２８は、表示されている状態よりも縮小して表示される。また表示画面３１の道路地図２８の縮尺量は、ジョイスティック２の回転量に対応している。
【００３９】
たとえば図４に示す状態で、ジョイスティック２を押圧しながら、軸線２０まわりに反時計方向（矢符２１ａ）に回転させると、図６に示す縮小した道路地図２８ｂが表示画面３１に表示される。
【００４０】
本実施形態のナビゲーション装置１では、表示画面３１に表示された道路地図２８のスクロール移動が可能であり、この道路地図２８のスクロール移動を、ジョイスティック２の操作によって行うことができる。
【００４１】
表示画面３１に道路地図２８が表示された状態において、ジョイスティック２を傾動させることによって、表示画面３１の道路地図２８をスクロール移動させることができる。このとき、ユーザから見たジョイスティック２の傾動方向と、道路地図２８のスクロール移動方向とは、一致している。つまり、ユーザがジョイスティック２を、矢符２２ｂ方向に傾動させると、表示画面３１の道路地図２８はユーザから見て上方にスクロール移動し、ジョイスティック２を矢符２２ｆ方向に傾動させると、表示画面３１の道路地図２８はユーザから見て下方にスクロール移動する。たとえば、図４の道路地図２８が表示された状態で、ジョイスティック２を、ユーザから見て左方（矢符２２ａ）に傾動させると、図７に示すように、ユーザから見て左方にスクロール移動した道路地図２８ｃが表示画面３１に表示される。
【００４２】
さらにジョイスティック２を傾動させて、表示画面３１の道路地図２８がスクロール移動している最中に、ジョイスティック２を矢符２３方向に押圧することによって、道路地図２８のスクロール移動速度を変更することができる。ここで、ジョイスティック２を押圧することによって、道路地図２８のスクロール移動速度を遅くしてもよいが、スクロール移動速度を速くすることが好ましい。スクロール移動速度を速くすることによって、目的位置の道路地図２８を速く表示させることができ、使い勝手が向上する。
【００４３】
また、本実施形態のナビゲーション装置１は、複数のナビゲーション機能を有している。図８は、各ナビゲーション機能を選択して実行するときの表示画面３１を示す図である。表示画面３１には各ナビゲーション機能を実行するための複数のアイコン２９と、このアイコン２９を指定して実行するためのカーソル３０やポインタなどの指定手段とが表示され、この表示されたカーソル３０の動作は、ジョイスティック２の操作によって行うことができる。
【００４４】
表示画面３１にカーソル３０が表示された状態において、ジョイスティック２を傾動させることによって、表示画面３１のカーソル３０を移動させることができる。このとき、ユーザから見たジョイスティック２の傾動方向と、カーソル３０の移動方向とは一致している。つまり、ユーザがジョイスティック２を、矢符２２ｂ方向に傾動させると、表示画面３１のカーソル３０は、ユーザから見て上方に移動する。たとえば図８に示す例では、カーソル３０が項目２９ｂの上の項目２９ａに移動する。またユーザが、ジョイスティック２を矢符２２ｆ方向に傾動させると、表示画面３１のカーソル３０は、ユーザから見て下方に移動する。たとえば、図８に示す例では、カーソル３０が項目２９ｂの下方の項目２９ｃに移動する。
【００４５】
さらに、ジョイスティック２を傾動させて、表示画面３１のカーソル３０が移動している最中に、ジョイスティック２を矢符２３方向に押圧することによって、カーソル３０の移動速度を変更することができる。ここで、ジョイスティック２を押圧することによって、カーソル３０の移動速度を遅くしてもよいが、移動速度を速くすることが好ましい。このようにカーソル３０の移動速度を速くすることによって、カーソル３０を目的の項目のアイコンまで速く到達させることができ、使い勝手が向上する。
【００４６】
また、本発明のナビゲーション装置１では、目的地の電話番号、郵便番号、緯度および経度情報、並びにマップコードに基づいて、目的地までの最適ルートの探索機能を有する。これらの電話番号、郵便番号、緯度および経度情報、並びにマップコードなどの数列も、前述の３動作可能なジョイスティック２の操作によって、入力することができる。図９は、電話番号の入力時の表示画面３１を示す図である。
【００４７】
表示画面３１には、たとえば電話番号の各桁に対応した複数のブロック３２と、入力可能状態であることを示すカーソル３３とが表示される。このように各ブロック３２とカーソル３３とが表示された状態において、ジョイスティック２を軸線２０まわりに回転させることによって、カーソル３３上の数字の増減を行うことができる。このとき、ユーザがジョイスティック２を軸線２０まわりに時計方向（矢符２１ｂ）に、３６°回転させる毎に、表示された数字に１を加算した数字が表示される。また、ユーザがジョイスティック２を軸線２０まわりに反時計方向（矢符２１ａ）に、３６°回転させる毎に、表示された数字に１を減算した数字が表示される。
【００４８】
また電話番号入力時に、ジョイスティック２を傾動させることによって、カーソル３３の桁移動を行うことができる。このとき、ジョイスティック２の傾動方向とカーソル３３の移動方向とは一致している。たとえば、ジョイスティック２を、ユーザから見て右方向（矢符２２ｈ方向）に傾動させると、カーソル３３がユーザから見て右側のブロック３２ｆに移動する。またジョイスティック２を、ユーザから見て左方向（矢符２２ｄ方向）に傾動させると、カーソル３３がユーザから見て左側のブロック３２ｄに移動する。
【００４９】
上述のジョイスティック２の傾動および回転操作を組み合わせて、電話番号の入力を終了すると、ジョイスティック２を軸線２０方向に押圧することによって、入力された電話番号が確定される。このように電話番号が確定されると、この電話番号の目的地までのルートが探索される。
【００５０】
上述したように、電話番号、郵便番号、緯度および経度情報、並びにマップコードなどの数列の各桁における数字の変更操作と、カーソル３３の桁移動操作と、入力された数列の確定操作とを、ジョイスティック２の操作によって行うことができるので、操作速度が向上する。さらに、各桁の数字の入力に、先行技術のような押圧操作を必要としないので、数字の入力中に誤ってジョイスティックを傾動させて、カーソルが桁移動してしまう操作ミスを防止できる。
【００５１】
本発明は、次の実施の形態が可能である。
（１）車両に搭載されるナビゲーション装置であって、
表示手段と、
予め定める複数の方向に傾動可能であり、予め定める軸線まわりに回転可能であり、かつ前記軸線方向に押圧可能であるジョイスティックとを備えることを特徴とするナビゲーション装置。
【００５２】
車両に搭載されるナビゲーション装置は、表示手段と、操作パネル部やリモコンに設けられるジョイスティックとを備える。このジョイスティックは予め定める複数の方向への傾動動作と、予め定める軸線まわりの回転動作と、軸線方向に押圧動作との３動作が可能である。これによって、このジョイスティックに割り当てられるナビゲーション機能の操作数が多くなるので、先行技術よりも表示手段に表示するアイコンの数や操作パネル部のスイッチの数を減少させることができる。
【００５３】
特に、予め定める複数の方向への傾動と、軸線まわりの回転と、軸線方向への押圧との３動作が可能なジョイスティックを備えるので、このジョイスティックの操作に多くのナビゲーション機能を割り当てることができ、先行技術に比較して、リモコンや操作パネル部のスイッチの数を減少できる。
【００５４】
（２）前記表示手段には、地図が表示され、
前記ジョイスティックを前記軸線まわりに回転させることによって、前記地図を回転させることを特徴とするナビゲーション装置。
【００５５】
表示手段には、車両の現在位置や車両の周辺の道路地図が表示される。ユーザが、ジョイスティックを軸線まわりに回転させると、表示手段に表示された地図が回転する。先行技術では、ジョイスティックが回転可能でないため、ジョイスティックを傾動させることによって、地図の回転を行っていたため、ユーザには操作の把握が困難であった。これに対して、本形態ではジョイスティックの回転動作と地図の回転とが対応しているので、ユーザにとって操作が容易になる。これによって、地図の回転操作の感覚的なギャップを無くすことができる。
【００５６】
特に、ジョイスティックを軸線まわりに回転させることによって、表示手段に表示された地図が回転するので、地図の回転操作の違和感を無くすことができる。
【００５７】
（３）前記ジョイスティックを、前記軸線方向に押圧した状態で、軸線まわりに回転させることによって、前記地図の縮尺を変更させることを特徴とするナビゲーション装置。
【００５８】
（４）前記ジョイスティックを前記軸線方向に押圧した状態で、軸線まわりに一方側に回転させることによって、前記地図を、この表示された状態よりも拡大させ、
ジョイスティックを軸線方向に押圧した状態で、軸線まわりに他方側に回転させることによって、地図を、この表示された状態よりも縮小させることを特徴とするナビゲーション装置。
【００５９】
ジョイスティックには、地図の縮尺を変化させる操作も割り当てられているので、地図の縮尺の変更時に、ジョイスティック以外の他の操作デバイス、たとえばスイッチなどを触れる必要がなく、また探す必要もない。
【００６０】
（５）前記ジョイスティックを傾動させることによって、前記地図をスクロール移動させ、
ジョイスティックを傾動させた状態で、軸線方向に押圧することによって、前記地図のスクロール移動速度を変更させることを特徴とするナビゲーション装置。
【００６１】
ユーザはジョイスティックの操作で、地図のスクロールと地図のスクロール速度とを変更することができるので、操作性が向上する。
【００６２】
（６）複数の予め定めるナビゲーション機能を有し、
前記表示手段には、前記ナビゲーション機能に対応する項目と、目的の項目を選択して指定する指定手段とが表示され、
前記ジョイスティックを傾動させることによって、前記指定手段を移動させ、ジョイスティックを傾動させた状態で軸線方向に押圧することによって、指定手段の移動速度を変更させることを特徴とするナビゲーション装置。
【００６３】
ユーザはジョイスティックの操作で、各ナビゲーション機能を示す項目を指定するための指定手段を移動させることができるとともに、指定手段の移動速度を変更することができる。これによって、操作性が向上する。
【００６４】
（７）数列を入力するための数列入力モードを有し、
前記表示手段には、前記数列を入力するためのカーソルが表示され、
前記ジョイスティックを軸線まわりに回転させることによって、前記カーソル上の数字の増減を行い、
ジョイスティックを傾動させることによって、カーソルの桁移動を行い、
ジョイスティックを軸線方向に押圧することによって、入力した数列を確定させることを特徴とするナビゲーション装置。
【００６５】
（８）前記数列は、電話番号であることを特徴とするナビゲーション装置。
（９）前記数列は、郵便番号であることを特徴とするナビゲーション装置。
【００６６】
（１０）前記数列は、緯度および経度情報であることを特徴とするナビゲーション装置。
【００６７】
（１１）前記数列は、特定の場所の位置データをコード化したマップコード（登録商標）であることを特徴とするナビゲーション装置。
【００６８】
（１２）前記ジョイスティックを前記軸線まわりに一方側に回転させることによって、前記カーソル上の数字を増加させ、
ジョイスティックを軸線まわりに他方側に回転させることによって、カーソル上の数字を減少させることを特徴とするナビゲーション装置。
【００６９】
ナビゲーション装置は、電話番号、郵便番号、緯度および経度情報やマップコードなどの数列を入力するための数列入力モードを有し、表示手段には数列を入力するためのカーソルが表示されている。この数列入力モードにおいて、ユーザがジョイスティックを、軸線まわりに一方側、たとえば時計まわりに回転させることによって、カーソル上の数字を増加させ、軸線まわりに他方側、たとえば反時計まわりに回転させることによって、カーソル上の数字を減少させる。また、ユーザがジョイスティックを、たとえば右に傾動させることによって、カーソルが次の桁に移動し、左に傾動させることによって、カーソルが前の桁に移動する。上記傾動及び回転操作を組み合わせて、数列の入力を終了させると、ユーザがジョイスティックを軸線方向に押圧することよって、入力された数列が確定される。このように数字の変更操作と、桁の移動操作と、数列の確定操作とを、１つのジョイスティックによって行うことができるので、操作性、特に操作速度が向上する。また、各桁の数字の入力に押圧操作を必要としないので、数字の入力中に誤ってジョイスティックを傾動させて、カーソルが桁移動してしまう操作ミスが防止できる。
【図面の簡単な説明】
【００７０】
【図１】本発明の実施の一形態である地図表示装置としてのナビゲーション装置１のブロック図である。
【図２】ジョイスティック２の斜視図である。
【図３】ジョイスティック２の平面図である。
【図４】ディスプレイ３の表示画面３１に道路地図２８が表示された状態を示す図である。
【図５】図４の道路地図２８を反時計方向に９０°回転させた道路地図２８ａを示す図である。
【図６】図４の道路地図２８を縮小した道路地図２８ｂを示す図である。
【図７】図４の道路地図２８をスクロール移動させた道路地図２８ｃを示す図である。
【図８】ナビゲーション機能を選択して実行するときの表示画面３１を示す図である。
【図９】電話番号入力時の表示画面３１を示す図である。
【符号の説明】
【００７１】
１  ナビゲーション装置
２  ジョイスティック
３  ディスプレイ
５  ナビゲーション装置本体
１１  回転検出部
１２  傾動検出部
１３  押圧検出部
１８  軸部
１９  つまみ部
２０  軸線
【図１】
2005292846.tif 000003
【図２】
2005292846.tif 000004
【図３】
2005292846.tif 000005
【図４】
2005292846.tif 000006
【図５】
2005292846.tif 000007
【図６】
2005292846.tif 000008
【図７】
2005292846.tif 000009
【図８】
2005292846.tif 000010
【図９】
2005292846.tif 000011